(57)【特許請求の範囲】
【請求項１】
流動性付着性薬剤を収納するための薬剤用カートリッジ装置において、
一端部に吐出口を有し、他端部に開口を有するシリンダと、前記シリンダ内に摺動可能に配置されたスライダとを有するカートリッジと、
前記シリンダの前記開口側に配置され、前記スライダを前記シリンダの前記吐出口側に向って押圧する押し具とを備え、
前記シリンダと前記スライダとの間であって前記吐出口側に、薬剤収納空間が形成され、
前記シリンダの外面に、前記スライダの摺動方向に沿って複数段の環状溝からなる係合部が設けられ、前記押し具は前記シリンダの外面を摺動する筒体を有し、この筒体に前記シリンダの各係合部に係合可能な内方へ突出する一対の爪を有する係止部が設けられ、各環状溝からなる係合部間には、半径方向外方へ突出する上下２つの突出部と、この２つの突出部間に形成され半径方向内方へ引っ込む凹部とが形成されている、ことを特徴とする薬剤用カートリッジ装置。
【請求項２】
各爪は水平面と、前記水平面から半径方向外方へ向かって降下する傾斜面とを有し、上方に位置する突出部は、前記爪の傾斜面と同一の傾きをもつ上方傾斜面を有し、
下方に位置する突出部は前記爪の水平面と係合するとともに水平に延びる下方面を有する、ことを特徴とする請求項１記載の薬剤用カートリッジ装置。
【請求項３】
前記押し具は前記筒体に連結された押し体を有し、前記スライダに軸受が設けられ、前記押し体に前記スライダを押圧する軸部が設けられていることを特徴とする請求項１または２記載の薬剤用カートリッジ装置。
【請求項４】
前記軸部は前記軸受に嵌合して前記スライダを押圧することを特徴とする請求項３記載の薬剤用カートリッジ装置。
【請求項５】
前記軸部は前記軸受の端部に当接して前記スライダを押圧することを特徴とする請求項３記載の薬剤用カートリッジ装置。
【請求項６】
前記軸部は、十文字状の断面を有することを特徴とする請求項３乃至５のいずれか記載の薬剤用カートリッジ装置。
【請求項７】
前記押し具の前記筒体は長軸と短軸を有するだ円状筒体からなり、だ円状筒体を長軸に沿って圧縮させることにより短軸側が拡張し、前記押し具の筒体の係止部は前記短軸側に設けられていることを特徴とする請求項１乃至６のいずれか記載の薬剤用カートリッジ装置。
【請求項８】
前記一対の爪は、前記押し具のだ円状筒体の下端のうち短軸方向に向かい合って設けられていることを特徴とする請求項１記載の薬剤用カートリッジ装置。
【請求項９】
前記カートリッジは前記押し具から取外されて廃棄自在となることを特徴とする請求項１乃至８のいずれか記載の薬剤用カートリッジ装置。
【請求項１０】
前記シリンダの吐出口は内側に向かって鋭角に突出した形状を有することを特徴とする請求項１乃至９のいずれか記載の薬剤用カートリッジ装置。
【請求項１１】
流動性付着性薬剤を収納した薬剤入りカートリッジ装置において、
一端部に吐出口を有し、他端部に開口を有するシリンダと、前記シリンダ内に摺動可能に配置されたスライダとを有するカートリッジと、
前記シリンダの前記開口側に配置され、前記スライダを前記シリンダの前記吐出口側に向って押圧する押し具とを備え、
前記シリンダと前記スライダとの間であって前記吐出口側に、薬剤収納空間が形成され、この薬剤収納空間内に流動性付着性薬剤が収納され、
前記シリンダの外面に、前記スライダの摺動方向に沿って複数段の環状溝からなる係合部が設けられ、前記押し具は前記シリンダの外面を摺動する筒体を有し、この筒体に前記シリンダの各係合部に係合可能な内方へ突出する一対の爪を有する係止部が設けられ、各環状溝からなる係合部間には、半径方向外方へ突出する上下２つの突出部と、この２つの突出部間に形成され半径方向内方へ引っ込む凹部とが形成されている、ことを特徴とする薬剤入りカートリッジ装置。
【請求項１２】
各爪は水平面と、前記水平面から半径方向外方へ向かって降下する傾斜面とを有し、上方に位置する突出部は、前記爪の傾斜面と同一の傾きをもつ上方傾斜面を有し、
下方に位置する突出部は前記爪の水平面と係合するとともに水平に延びる下方面を有する、ことを特徴とする請求項１１記載の薬剤入りカートリッジ装置。
【請求項１３】
前記押し具は前記筒体に連結された押し体を有し、前記スライダに軸受が設けられ、前記押し体に前記軸受に前記スライダを押圧する軸部が設けられていることを特徴とする請求項１１または１２記載の薬剤入りカートリッジ装置。
【請求項１４】
前記軸部は前記軸受に嵌合して前記スライダを押圧することを特徴とする請求項１３記載の薬剤入りカートリッジ装置。
【請求項１５】
前記軸部は前記軸受の端部に当接して前記スライダを押圧することを特徴とする請求項１３記載の薬剤入りカートリッジ装置。
【請求項１６】
前記軸部は、十文字状の断面を有することを特徴とする請求項１３乃至１５のいずれか記載の薬剤入りカートリッジ装置。
【請求項１７】
前記押し具の前記筒体は長軸と短軸を有するだ円状筒体からなり、だ円状筒体を長軸に沿って圧縮させることにより短軸側が拡張し、前記押し具の筒体の係止部は前記短軸側に設けられていることを特徴とする請求項１１乃至１６のいずれか記載の薬剤入りカートリッジ装置。
【請求項１８】
前記一対の爪は、前記押し具のだ円状筒体の下端のうち短軸方向に向かい合って設けられていることを特徴とする請求項１１記載の薬剤入りカートリッジ装置。
【請求項１９】
前記カートリッジは前記押し具から取外されて廃棄自在となることを特徴とする請求項１１乃至１８のいずれか記載の薬剤入りカートリッジ装置。
【請求項２０】
前記シリンダの吐出口は内側に向かって鋭角に突出した形状を有することを特徴とする請求項１１乃至１９のいずれか記載の薬剤入りカートリッジ装置。
【発明の詳細な説明】
【技術分野】
【０００１】
本発明は、洗浄、殺菌、芳香等の作用を有する流動性付着性薬剤を便器の壁面等の被付着面に付着させるための薬剤用カートリッジ装置および薬剤入りカートリッジ装置に関する。
【背景技術】
【０００２】
従来より水洗トイレは水を収納したタンクを有し、このタンク内に芳香、消臭剤や洗浄剤が配置されて便器内を消臭したり洗浄している。
【０００３】
最近ではタンクをもたないタンクレス水洗トイレが広く用いられるようになってきた。このため芳香・消臭剤や洗浄剤として流動性付着性薬剤を用い、この流動性付着性薬剤を直接水洗トイレの便器に付着させるようにして、消臭、洗浄等を行う様になっている。そして、この流動性付着性薬剤を便器に付着させる装置が開発されている。
【０００４】
このような流動性付着性薬剤を収納し、水洗トイレの便器に付着させる装置として、薬剤押出器具とゲル状薬剤を密封した薬剤入り容器とを備えた薬剤付着用具セットが知られている（特許文献１）。
【０００５】
この薬剤付着用具セットは、吐出口を有したシリンダと、押し具とを備えた薬剤押出器具、及びゲル状薬剤を密閉した薬剤入り容器を備え、押し具は、シリンダに挿入される軸部と、該軸部に結合された操作部とを備え、シリンダは、薬剤入り容器の挿入口と、薬剤の被付着面に当接される当接部とを備え、薬剤入り容器は、開封可能に密封された開口部を有し、軸部の先端部は、開口部の対向位置にある端壁の周辺部より僅かに小さい径を有するように構成されている。
【０００６】
あるいは粘着性薬剤が収容された管状本体と、この管状本体の外面を摺動するプランジャとを有する器具も知られている（特許文献２）。
【０００７】
この器具の管状本体は、キャビティを定義する壁を有し、第一の開放端と、その反対側のディスペンスオリフィスを備える第二端とを有する。本体のキャビティには流動性材料が収容される。プランジャは少なくとも本体の一部を囲繞すべく寸法設定された外側スリーブと、キャビティ内における本体の軸方向運動のために寸法設定された内側押圧構造とを有する。器具は、使用者の手によってプランジャが本体側に移動された際に、制御された単位用量の流動性材料を表面に提供すべく、本体の第二端と、プランジャの内側押圧構造の内側端とを相互にインデックス段階的に位置決めする手段を有するように構成されている。
【先行技術文献】
【特許文献】
【０００８】
【特許文献１】特開２０１１−０７３７６７号公報
【特許文献２】特表２００９−５００２５４号公報
【発明の概要】
【発明が解決しようとする課題】
【０００９】
上述した特許文献１に記載の装置では、薬剤押出器内でポーションを押しつぶしポーションから流動性付着性薬剤を排出した後、ポーションを交換する必要がある。しかしながらこのポーションの交換作業は手間がかかり、また交換作業時にポーションに付着する流動性付着性薬剤によって手が汚れてしまう。さらに、ポーションを交換しても、薬剤の被付着面である便器のボウル内面と直接接触する当接部は繰り返し利用するため、使用者にとっては衛生面に不安を感じる場合があった。
【００１０】
また、特許文献２に記載されたカートリッジ装置においては、使用者がプランジャを異なる方向に力を加えて２段階の操作を行うことにより、粘着剤を排出する必要があり、薬剤の排出操作が面倒である。
【００１１】
本発明はこのような点を考慮してなされたものであり、流動性付着性薬剤を簡単な操作で排出することができる、薬剤用カートリッジ装置および薬剤入りカートリッジ装置を提供することを目的とする。
【課題を解決するための手段】
【００１２】
本発明は、流動性付着性薬剤を収納するための薬剤用カートリッジ装置において、一端部に吐出口を有し、他端部に開口を有するシリンダと、前記シリンダ内に摺動可能に配置されたスライダとを有するカートリッジと、前記シリンダの前記開口側に配置され、前記スライダを前記シリンダの前記吐出口側に向って押圧する押し具とを備え、前記シリンダと前記スライダとの間であって前記吐出口側に、薬剤収納空間が形成され、前記シリンダの外面に、前記スライダの摺動方向に沿って複数段の係合部が設けられ、前記押し具は前記シリンダの外面を摺動する筒体を有し、この筒体に前記シリンダの各係合部に係合可能な係止部が設けられていることを特徴とする薬剤用カートリッジ装置である。
【００１３】
本発明は、前記押し具は前記筒体に連結された押し体を有し、前記スライダに軸受が設けられ、前記押し体に前記スライダを押圧する軸部が設けられていることを特徴とする薬剤用カートリッジ装置である。
【００１４】
本発明は、前記軸部は前記軸受に嵌合して前記スライダを押圧することを特徴とする薬剤用カートリッジ装置である。
【００１５】
本発明は、前記軸部は前記軸受の端部に当接して前記スライダを押圧することを特徴とする薬剤用カートリッジ装置である。
【００１６】
本発明は、前記軸部は、十文字状の断面を有することを特徴とする薬剤用カートリッジ装置である。
【００１７】
本発明は、前記押し具の前記筒体は長軸と短軸を有するだ円状筒体からなり、だ円状筒体を長軸に沿って圧縮させることにより短軸側が拡張し、前記押し具の筒体の係止部は前記短軸側に設けられていることを特徴とする薬剤用カートリッジ装置である。
【００１８】
本発明は、前記係止部は前記押し具のだ円状筒体の下端に対向して設けられ内方へ突出する一対の爪を有することを特徴とする薬剤用カートリッジ装置である。
【００１９】
本発明は、前記一対の爪は前記押し具のだ円状筒体の下端のうち短軸方向に向かい合って設けられていることを特徴とする薬剤用カートリッジ装置である。
【００２０】
本発明は、前記カートリッジは前記押し具から取外されて廃棄自在となることを特徴とする薬剤用カートリッジ装置である。
【００２１】
本発明は、前記シリンダの吐出口は内側に向かって鋭角に突出した形状を有することを特徴とする薬剤用カートリッジ装置である。
【００２２】
本発明は、流動性付着性薬剤を収納した薬剤入りカートリッジ装置において、一端部に吐出口を有し、他端部に開口を有するシリンダと、前記シリンダ内に摺動可能に配置されたスライダとを有するカートリッジと、前記シリンダの前記開口側に配置され、前記スライダを前記シリンダの前記吐出口側に向って押圧する押し具とを備え、前記シリンダと前記スライダとの間であって前記吐出口側に、薬剤収納空間が形成され、この薬剤収納空間内に流動性付着性薬剤が収納され、前記シリンダの外面に、前記スライダの摺動方向に沿って複数段の係合部が設けられ、前記押し具は前記シリンダの外面を摺動する筒体を有し、この筒体に前記シリンダの各係合部に係合可能な係止部が設けられていることを特徴とする薬剤入りカートリッジ装置である。
【００２３】
本発明は、前記押し具は前記筒体に連結された押し体を有し、前記スライダに軸受が設けられ、前記押し体に前記軸受に前記スライダを押圧する軸部が設けられていることを特徴とする薬剤入りカートリッジ装置である。
【００２４】
本発明は、前記軸部は前記軸受に嵌合して前記スライダを押圧することを特徴とする薬剤入りカートリッジ装置である。
【００２５】
本発明は、前記軸部は前記軸受の端部に当接して前記スライダを押圧することを特徴とする薬剤入りカートリッジ装置である。
【００２６】
本発明は、前記軸部は、十文字状の断面を有することを特徴とする薬剤入りカートリッジ装置である。
【００２７】
本発明は、前記押し具の前記筒体は長軸と短軸を有するだ円状筒体からなり、だ円状筒体を長軸に沿って圧縮させることにより短軸側が拡張し、前記押し具の筒体の係止部は前記短軸側に設けられていることを特徴とする薬剤入りカートリッジ装置である。
【００２８】
本発明は、前記係止部は前記押し具のだ円状筒体の下端に対向して設けられ内方へ突出する一対の爪を有することを特徴とする薬剤入りカートリッジ装置である。
【００２９】
本発明は、前記一対の爪は前記押し具のだ円状筒体の下端のうち短軸方向に向かい合って設けられていることを特徴とする薬剤入りカートリッジ装置である。
【００３０】
本発明は、前記カートリッジは前記押し具から取外されて廃棄自在となることを特徴とする薬剤用カートリッジ装置である。
【００３１】
本発明は、前記シリンダの吐出口は内側に向かって鋭角に突出した形状を有することを特徴とする薬剤入りカートリッジ装置である。
【発明の効果】
【００３２】
以上のように本発明によれば、簡単な操作で流動性付着性薬剤を簡単かつ容易に排出することができる。同時に、薬剤吐出口を含むカートリッジが廃棄自在であるため、より衛生的に装置を使用することができる。
【図面の簡単な説明】
【００３３】
【図１】図１は本発明による薬剤用カートリッジ装置および薬剤入りカートリッジ装置を示す側断面図。
【図２】図２は本発明による薬剤用カートリッジ装置および薬剤入りカートリッジ装置を示す側面図。
【図３】図３（ａ）は押し具の外面を示す図であって、図３（ｂ）はその内面を示す図。
【図４】図４は本発明による薬剤用カートリッジ装置および薬剤入りカートリッジ装置を示す底面図。
【図５】図５は図２のＡ部拡大図。
【図６】図６は薬剤用カートリッジ装置および薬剤入りカートリッジ装置を示す側断面図であって、図１と９０°回転させた位置から示す図。
【図７】図７は薬剤用カートリッジ装置および薬剤入りカートリッジ装置を示す側断面図であって、流動性付着性薬剤の使用後を示す図。
【図８】図８は筒体の爪と係合部を示す拡大図。
【図９】図９は筒体の爪と係合部を示す拡大図。
【図１０】図１０は筒体の爪と係合部を示す拡大図。
【図１１】図１１は本発明による薬剤用カートリッジ装置および薬剤入りカートリッジ装置の変形例を示す図。
【発明を実施するための形態】
【００３４】
＜本発明の実施の形態＞
以下、図１乃至図１０により本発明の実施の形態について説明する。
【００３５】
ここで図１乃至図１０は本実施の形態による薬剤用カートリッジ装置および薬剤入りカートリッジ装置を示す図である。
【００３６】
図１乃至図３に示すように、本実施の形態による薬剤用カートリッジ装置１０は、例えばトイレの便器に直接付着される芳香・消臭剤、または洗浄剤等の流動性付着性薬剤を収納するためのものである。そしてこの薬剤用カートリッジ装置１０内に流動性付着性薬剤３０を収納することにより、薬剤入りカートリッジ装置１０Ａが得られる。
【００３７】
このような薬剤用カートリッジ装置１０は、一端部に吐出口１５を含む底面１５ａを有し、他端部に開口１２ａが形成されたシリンダ１２と、シリンダ１２内に摺動自在に配置されたスライダ２０と、シリンダ１２の開口１２ａ側に配置され、スライダ２０をシリンダ１２の吐出口１５側に向って押圧する押し具２５とを備えている。
【００３８】
このうちシリンダ１２は円筒体からなり、シリンダ１２の側壁には吐出口１５側へ末広状に延びるとともに吐出口１５を外方から覆う末広部１３が設けられている。さらにこの末広部１３の先端には先端フランジ１４が取付けられている。また末広部１３の基端には指掛りフランジ１６が取付けられている。
【００３９】
またスライダ２０はシリンダ１２内を摺動することができ、スライダ２０の底面２０ａとシリンダ１２との間であって吐出口１５側に、薬剤収納空間３０Ａが形成されている。そしてこの薬剤収納空間３０Ａ内に上述した流動性付着性薬剤３０が収納される。
【００４０】
また押し具２５はシリンダ１２の外面を摺動する筒体２６と、この筒体２６に連結されて操作される押し体２７とを有している。
【００４１】
このうち、筒体２６は長軸ａと短軸ｂとを有するだ円形筒体からなり、この筒体２６を長軸ａに沿って圧縮することにより短軸ｂ側が拡張するようになっている（図３（ａ）（ｂ）参照）。ここで図３（ａ）は押し具２５を外面側からみた図であり、図３（ｂ）は押し具２５を内面側からみた図である。
【００４２】
またスライダ２０は、シリンダ１２内に摺動自在に配置されており、スライダ２０の底面２０ａの押し具２５側には軸受２１が取付けられ、押し具２５の押し体２７内面には、スライダ２０の軸受２１内に嵌合する軸部２９が設けられている。
【００４３】
そして押し具２５の押し体２７を操作してスライダ２０側へ押圧することにより押し体２７の軸部２９によってスライダ２０がシリンダ１２内で吐出口１５側へ摺動する。
【００４４】
ところで、押し体２７に設けられた軸部２９は、十文字状の断面形状をもつ。また軸部２９は軸部本体２９ａと、軸部本体２９ａに段部２９ｃを介して連結された小形の先端部２９ｂとを有し、軸部２９の先端部２９ｂがスライダ２０の軸受２１内に嵌り込むようになっている。この場合、スライダ２０の軸受２１はスライダ２０の底面２０ａの中央部に位置し、押し具２５の軸部２９も押し体２７の内面中央部に位置しており、このため軸受２１と軸部２９とにより、スライダ２０と押し具２７との芯出しを精度良く行なうことができる。
【００４５】
なお、押し具２５の押し体２７にはその中央に凹部２７ａが形成され、押し体２７には凹部２７ａを挟んでその両側に開口２７ｂが設けられている。
【００４６】
またシリンダ１２の外面にはスライダ２０の摺動方向に沿って、複数段、例えば３段の係合部の１８ａ、１８ｂ、１８ｃが設けられている。各係合部１８ａ、１８ｂ、１８ｃはシリンダ１２の外面に設けられた環状溝からなり、他方押し具２５のだ円状筒体２６には、シリンダ１２の係合部１８ａ、１８ｂ、１８ｃに係合する係止部２８が設けられている。この係止部２８は、だ円状筒体２６の下端に対向して設けられ内方へ突出する一対の爪２８ａを有している。このようにシリンダ１２の外面にスライダ２０の摺動方向に沿って、複数段、例えば３段の係合部の１８ａ、１８ｂ、１８ｃが設けられているため、流動性付着性薬剤３０の吐出量を調整でき、流動性付着性薬剤３０を複数回、例えば、３回に渡って使用することができる。また、等間隔で係合部の１８ａ、１８ｂ、１８ｃを設けることによって、流動性付着性薬剤３０の吐出量を略均等に分散することができる。
【００４７】
一対の爪２８ａ、２８ａは、だ円状筒体２６の下端のうち短軸ｂ方向に向い合って設けられている。そして上述のようにだ円状筒体２６を長軸ａに沿って圧縮することにより短軸ｂ側が拡張し、このことにより一対の爪２８ａ間の距離も拡がって、係合部１８ａ、１８ｂ、１８ｃと一対の爪２８ａ、２８ａとの係合が外れるようになっている。この操作により、カートリッジ１１と押し具２５とは着脱自在に構成されている。
【００４８】
またシリンダ１２内に収納された流動性付着性薬剤３０は、スライダ２０が押し具２５により押圧されることによりシリンダ１２の底面１５ａに設けられた吐出口１５から外方へ排出されるが、この場合、吐出口１５は内側に向かって鋭角に突出した形状を有するため、薬剤排出後、薬剤入りカートリッジ装置１０Ａを便器壁面から離す際、確実に吐出口付近で流動性付着性薬剤が切り離され、便器側に十分な量の流動性付着性薬剤を付着させることができる。さらに、薬剤入りカートリッジ装置１０Ａを引き離す際に便器壁面に付着させた流動性付着性薬剤３０の便器壁面からの突出高さを抑えることができるため、流動性付着性薬剤３０と便器を流れる洗浄水が接触した際の水はねを起こりにくくすることができる。
【００４９】
さらにまた、シリンダ１２の先端フランジ１４には、蓋体３２が設けられ、シリンダ１２の吐出口１５と蓋体３２との間には末広部１３によって覆われた薬剤溜まり空間３１が形成されている。
【００５０】
ところで、上記構成部材のうち、シリンダ１２と、シリンダ１２内のスライダ２０はカートリッジ１１を構成し、カートリッジ１１の薬剤収納空間３０Ａ内に流動性付着性薬剤３０が収納される。
【００５１】
またカートリッジ１１は、使用後に押し具２５から取外されて、残った少量の流動性付着性薬剤３０とともに廃棄されるようになっている。
【００５２】
次に薬剤収納用カートリッジ装置１０の各構成部材の材料について説明する。
【００５３】
薬剤収納用カートリッジ装置のシリンダ１２、スライダ２０、押し具２５および蓋体３２はいずれもポリプロピレン（ＰＰ）またはポリエチレン（ＰＥ）等の合成樹脂製となっており、このため例えば押し具２５のだ円状筒体２６は長軸ａに沿って押圧して圧縮させることによりだ円状筒体２６を変形させ、短軸ｂ側を容易に拡張することができる。
【００５４】
次にこのような構成からなる本実施の形態の作用について説明する。
【００５５】
まず、シリンダ１２と、シリンダ１２内に設けられたスライド２０とを有するカートリッジ１１を準備する。この場合、カートリッジ１１のシリンダ１２とスライダ２０との間であって吐出口１５側の薬剤収納空間３０Ａ内に流動性付着性薬剤３０が予め収納されている。
【００５６】
次に流動性付着性薬剤３０が収納されたカートリッジ１１に対して押し具２５を装着し、このようにして薬剤入りカートリッジ装置１０Ａが得られる。この場合押し具２５の軸部２９の先端部２９ｂをスライダ２０の軸受２１内に嵌合させることにより、カートリッジ１１に対して押し具２５を堅固に固定することができる。
【００５７】
次にこのようにして構成された薬剤入りカートリッジ装置１０Ａを使用する。まずカートリッジ１１のシリンダ１２内において、スライダ２０が図１および図６の実線位置にある。
【００５８】
ここで図１は薬剤入りカートリッジ装置１０Ａをだ円状筒体２６の短軸ｂ方向からみた断面であり、図６は薬剤入りカートリッジ装置１０Ａをだ円状筒体２６の長軸方向ａからみた断面図である。
【００５９】
次に薬剤入りカートリッジ装置１０Ａを、薬剤を付着させる対象物、例えば水洗トイレの便器壁面（図示せず）に当接させる。この場合、予め先端フランジ１４から蓋体３２が取外され、先端フランジ１４が便器壁面に当接する。このとき便器壁面とシリンダ１２の吐出口１５との間には末広部１３によって覆われた薬剤溜まり空間３１が形成される。
【００６０】
次に使用者は片手の中指と人差し指でシリンダ１２の指掛りフランジ１６を挟み、親指のみで押し具２５の押し体２７を押圧する。
【００６１】
このようにして使用者は片手のみで押し具２５の押し体２７を操作して押圧することができる。
【００６２】
このように押し具２５を押圧することにより、シリンダ１２内でスライダ２０が摺動し、同時に押し具２５のだ円状筒体２６がシリンダ１２の外面を摺動する。次に押し具２５のだ円状筒体２６に設けられた一対の爪２８ａ、２８ａからなる係止部２８が、シリンダ１２に設けられた上段（第１段）の係合部１８ａに係合し、押し具２５およびスライダ２０が停止する（図１および図６参照）。
【００６３】
この間、シリンダ１２内の薬剤収納空間３０Ａ内に収納されていた流動性付着性薬剤３０がシリンダ１２の吐出口１５から外方へ排出され、次に流動性付着性薬剤３０は便器壁面とシリンダ１２の吐出口１５との間に形成された薬剤溜まり空間３１内に溜められる。
【００６４】
シリンダ１２の先端部フランジ１４の内側の面積は吐出口１５の面積より大きいことから、その後薬剤入りカートリッジ装置１０Ａを便器壁面から引き離すことにより、薬剤溜まり空間３１内に溜まった流動性付着性薬剤（第１回目の流動性付着性薬剤）３０を安定して便器側へ付着させることができる。
【００６５】
次にシリンダ１２の先端フランジ１４に蓋体３２を取付ける。このことにより、シリンダ１２内に収納された流動性付着性薬剤３０が乾燥することを未然に防止することができる。
【００６６】
このように、使用者は片手の操作のみで押し具２５の押し体２７を吐出口１５側へ押圧して移動させるだけで、所望量の流動性付着性薬剤を容易かつ簡単に排出することができる。
【００６７】
次に便器壁面に対して第２回目の流動性付着性薬剤３０を付着させる。この場合、上述と同様にして先端フランジ１４から蓋体３２が取外され、先端フランジ１４が便器壁面に当接する。次に上述と同様にして押し具２５を操作して押圧する。
【００６８】
このように押し具２５を押圧することにより、シリンダ１２内でスライド２０が摺動し、同時に押し具２５のだ円状筒体２６がシリンダ１２の外面を摺動する。次に押し具２５のだ円状筒体２６に設けられた一対の爪２８ａ、２８ａからなる係止部２８が、シリンダ１２に設けられた中段（第２段）の係合部１８ｂに係合し、押し具２５およびスライダ２０が停止する（図１および図６参照）。
【００６９】
この間、シリンダ１２内の薬剤収納空間３０Ａ内に収納されていた流動性付着性薬剤３０がシリンダ１２の吐出口１５から外方へ排出され、次に流動性付着性薬剤３０は便器壁面とシリンダ１２の吐出口１５との間に形成された薬剤溜まり空間３１内に溜められる。
【００７０】
その後薬剤入りカートリッジ装置１０Ａを便器壁面から引き離すことにより、薬剤溜まり空間３１内に溜まった流動性付着性薬剤（第２回目の流動性付着性薬剤）３０を便器側へ付着させることができる。
【００７１】
次にシリンダ１２の先端フランジ１４に蓋体３２を取付ける。このことにより、シリンダ１２内に収納された流動性付着性薬剤３０が乾燥することを未然に防止することができる。
【００７２】
次に便器壁面に対して第３回目の流動性付着性薬剤３０を付着させる。この場合、上述と同様にして先端フランジ１４から蓋体３２が取外され、先端フランジ１４が便器壁面に当接する。次に上述と同様にして押し具２５を操作して押圧する。
【００７３】
このように押し具２５を押圧することにより、シリンダ１２内でスライド２０が摺動し、同時に押し具２５のだ円状筒体２６がシリンダ１２の外面を摺動する。次に押し具２５のだ円状筒体２６に設けられた一対の爪２８ａ、２８ａからなる係止部２８が、シリンダ１２に設けられた下段（第３段）の係合部１８ｃに係合し、押し具２５およびスライダ２０が停止する。
【００７４】
この間、シリンダ１２内の薬剤収納空間３０Ａ内に収納されていた流動性付着性薬剤３０がシリンダ１２の吐出口１５から外方へ排出され、次に流動性付着性薬剤３０は便器壁面とシリンダ１２の吐出口１５との間に形成された薬剤溜まり空間３１内に溜められる。
【００７５】
その後薬剤入りカートリッジ装置１０Ａを便器壁面から引き離すことにより、薬剤溜まり空間３１内に溜まった流動性付着性薬剤（第３回目の流動性付着性薬剤）３０を便器側へ付着させることができる（図７参照）。
【００７６】
このようにして薬剤入りカートリッジ装置１０Ａのシリンダ１２内に収納されたすべての流動性付着性薬剤３０をシリンダ１２内から吐出口１５を介して排出することができる。
【００７７】
次に、だ円状筒体２６の爪２８ａが、シリンダ１２側の上段（第１段）の係合部１８ａ、中段（第２段）の係合部１８ｂ、下段（第３段）の係合部１８ｃに順次係合する状態について図８乃至図１０により説明する。
【００７８】
図８乃至図１０に示すように、シリンダ１２側において、各係合部１８ａ、１８ｂ、１８ｃ間には、突出部Ａおよび突出部Ｃと、突出部Ａ，Ｃ間に位置する凹部Ｂとが形成されている。
【００７９】
他方、筒体２６の爪２８ａは、水平面２８ｂと、この水平面２８ｂと交差する傾斜面２８ｃとにより外形が規定されており、このうち爪２８ａの傾斜面２８ｃは突出部Ａの上方傾斜面Ａ１および突出部Ｃの上方傾斜面Ｃと略同一の傾きをもつ。また、爪２８ａの水平面２８ｂは突出部Ｃの下方面Ｃ２と同様、水平方向を向いている。このため、図８に示すように上方の係合部、例えば係合部１８ａに爪２８ａが係合した場合、爪２８ａの傾斜面２８ｃが突出部Ａの上方傾斜面Ａ１上を滑らかに摺動するため、爪２８ａは比較的少ない力で突出部Ａを乗り越えることができる。
【００８０】
次に爪２８ａは凹部Ｂを一気に摺動して流動性付着性薬剤３０を迅速かつ容易に排出することができる。
【００８１】
その後、爪２８ａはその傾斜面２８ｃが突出部Ｃの上方傾斜面Ｃ１上を滑らかに摺動して突出部Ｃを乗り越えた後、係合部１８ｂに係合する。
【００８２】
この時、爪２８ａの水平面２８ｂが突出部Ｃの下方面Ｃ２と係合するが、爪２８ｂの水平面２８ｂおよび突出部Ｃの下方面Ｃ２はいずれも水平方向を向くため、爪２８ａが突出部Ｃを乗り越えた後、爪２８ａと突出部Ｃとの間に生じるクリック感をもって爪２８ａは係合部１８ｂに係合することができる（図９参照）。
【００８３】
同様にして、使用者は片手の操作のみで押し具２５を押圧することにより、係合部１８ｂに係合する爪２８ａを係合部１８ｃに係合させることができる（図１０参照）
【００８４】
このようにシリンダ１２内の流動性付着性薬剤３０をすべて吐出口１５から排出した後、次にシリンダ１２とスライド２０とを有するカートリッジ１１が押し具２５から取外され、このカートリッジ１１は廃棄される。
【００８５】
この場合、まず押し具２５のだ円状筒体２６が長軸ａに沿って押圧されて、だ円状筒体２６が短軸ｂ方向に拡張する。このことによりシリンダ１２に設けられた係合部１８ａ、１８ｂ、１８ｃから、だ円状筒体２６に設けられた一対の爪２８ａ、２８ａからなる係止部２８を容易に外すことができ、このため、シリンダ１２を押し具２１から容易に取外すことができる。
【００８６】
次に内部に流動性付着性薬剤３０が収納された新たなカートリッジ１１が準備され、この新たなカートリッジ１１が押し具２５に装着され、上述と同様の手順によってカートリッジ１１のシリンダ１２内の流動性付着性薬剤３０が外方へ排出されて使用される。このように、押し具２５は繰り返し利用することが可能であり、廃棄物を少なくすることができる。また、使用時に便器壁面と当接する先端フランジ１４を含むカートリッジ１１は、収納された流動性付着性薬剤３０を使い切る都度廃棄するため、薬剤用カートリッジ装置１０は長期間にわたり衛生的に利用することができる。
【００８７】
以上のように本実施の形態によれば、薬剤入りカートリッジ装置１０Ａは、流動性付着性薬剤を含むポーションを含まないため、ポーションを交換する必要はなく、かつポーションの交換作業時に手が汚れたりすることはない。
【００８８】
＜本発明の変形例＞
なお、上記実施の形態において、シリンダ１２の外面に３段の係合部１８ａ、１８ｂ、１８ｃを設け、押し具２５およびスライダ２０を３段に渡って移動させる例を示したが、係合部１８ａ、１８ｂ、１８ｃは３段に限らず、４段または５段あるいはそれ以上設けてもよい。
【００８９】
また上記の実施の形態において、軸部２９は軸部本体２９ａと、軸部本体２９ａに段部２９ｃを介して連結された小形の先端部２９ｂとを有し、軸部２９の先端部２９ｂがスライダ２０の軸受２１内に嵌り込むようになっている例を示したが、これに限らず、図１１に示すように、軸部２９を十文字状の断面形状をもつように構成するとともに、軸部２９の下端部２９ｄをスライダ２０の軸受２１内に嵌合させることなく、軸部２９の下端部２９の下端部２９ｄを軸受２１の上端に当接させても良い。
【００９０】
図１１に示す変形例において、図１乃至図１０に示す実施の形態と同一部分には同一符号を付して詳細な説明は省略する。
【００９１】
図１１に示す変形例において、軸部２９を軸受２１内に嵌合させる必要がないため、軸部２９を短く構成することができる。これによって、押し具２５をシリンダ１２に装着させる際、誤って軸部２９が軸受２１を押圧して流動性付着性薬剤を排出させることを未然に防止することができる。
【符号の説明】
【００９２】
１０  薬剤用カートリッジ装置
１０Ａ  薬剤入りカートリッジ装置
１１  カートリッジ
１２  シリンダ
１３  末広部
１４  先端フランジ
１５  吐出口
１５ａ  底面
１６  指掛りフランジ
１８ａ、１８ｂ、１８ｃ  係合部
２０  スライダ
２１  軸受
２５  押し具
２６  だ円状筒体
２７  押し体
２８  係止部
２８ａ  爪
３０  流動性付着性薬剤
３０Ａ  薬剤収納空間
３２  蓋体
【図１】
0006595209.tif 000002
【図２】
0006595209.tif 000003
【図３】
0006595209.tif 000004
【図４】
0006595209.tif 000005
【図５】
0006595209.tif 000006
【図６】
0006595209.tif 000007
【図７】
0006595209.tif 000008
【図８】
0006595209.tif 000009
【図９】
0006595209.tif 000010
【図１０】
0006595209.tif 000011
【図１１】
0006595209.tif 000012